(57)【要約】【課題】  許容できないほどに高い粒子燃焼速度ないし許容できないほどに高い粒子フィルタ温度による粒子フィルタ装置の損傷を阻止する、内燃機関の排気領域内に配置されている粒子フィルタの作動方法および装置を提供する。【解決手段】  粒子燃焼速度の調節および／またはモニタリングのために、または粒子フィルタ温度（ＴＰＦ）の調節および／またはモニタリングのために、粒子燃焼速度に対する尺度が測定される、内燃機関（１０）の排気領域（１３）内に配置されている粒子フィルタ（１４）の作動方法において、排気領域（１３）内の粒子フィルタ（１４）手前上流側に二次空気流量（ｍＳＬ）が吹き込まれ、二次空気流量（ｍＳＬ）が、粒子燃焼速度に対する測定尺度の関数として調節される。二次空気流量（ｍＳＬ）は、空気分解装置（２２）から供給される酸素流量（ｍＯ２）または窒素流量（ｍＮ２）によりリッチ化可能である。【選択図】  図１
2006090324.tif 000002
【特許請求の範囲】
【請求項１】
粒子燃焼速度の少なくとも調節およびモニタリングのいずれかのために、または粒子フィルタ温度（ＴＰＦ）の少なくとも調節およびモニタリングのいずれかのために、粒子燃焼速度に対する尺度が測定される、内燃機関（１０）の排気領域（１３）内に配置されている粒子フィルタ（１４）の作動方法において、
排気領域（１３）内の粒子フィルタ（１４）手前上流側に二次空気流量（ｍＳＬ）が吹き込まれること、および
二次空気流量（ｍＳＬ）が、粒子燃焼速度に対する測定尺度の関数として調節されること、
を特徴とする内燃機関の排気領域内に配置されている粒子フィルタの作動方法。
【請求項２】
二次空気流量（ｍＳＬ）が、前記粒子燃焼速度に対する測定された尺度の関数として、空気分解装置（２２）から供給された酸素流量（ｍＯ２）または窒素流量（ｍＮ２）によりリッチ化されることを特徴とする請求項１に記載の作動方法。
【請求項３】
前記粒子燃焼速度に対する尺度として、λセンサ（１５）のλ信号（ｌａｍ）が使用されることを特徴とする請求項１に記載の作動方法。
【請求項４】
前記粒子燃焼速度に対する尺度として、粒子フィルタ温度（ＴＰＦ）に対する少なくとも１つの尺度が使用されることを特徴とする請求項１に記載の作動方法。
【請求項５】
粒子フィルタ温度（ＴＰＦ）が、粒子フィルタ（１４）後方下流側において測定されることを特徴とする請求項４に記載の作動方法。
【請求項６】
粒子フィルタ温度（ＴＰＦ）が、粒子フィルタ（１４）内において発生する粒子フィルタ排気ガス流量（ｍＰＦ）により補正されることを特徴とする請求項４に記載の作動方法。
【請求項７】
粒子フィルタ温度（ＴＰＦ）を制限するために、最大可能二次空気流量（ｍＳＬｍａｘ）が設定されることを特徴とする請求項１に記載の作動方法。
【請求項８】
請求項１ないし７のいずれかに記載の作動方法を実施する少なくとも１つの制御装置（２０）を備えたことを特徴とする内燃機関の排気領域内に配置されている粒子フィルタの作動装置
【請求項９】
二次空気流量（ｍＳＬ）を供給するために電動二次空気ポンプ（２１）を備えたことを特徴とする請求項８に記載の作動装置。
【請求項１０】
酸素流量または窒素流量（ｍＯ２、ｍＮ２）を供給するために、空気分解装置（２２）を備えたことを特徴とする請求項８に記載の作動装置。
【請求項１１】
空気分解装置（２２）が、二次空気ポンプ（２１）後方下流側に配置されていることを特徴とする請求項１０に記載の作動装置。
【請求項１２】
粒子フィルタ温度（ＴＰＦ）に対する尺度を測定するために、粒子フィルタ（１４）後方下流側に温度センサ（１８）を備えたことを特徴とする請求項８に記載の作動装置。
【請求項１３】
粒子フィルタ（１４）手前上流側に圧力センサ（１７）を備えたことを特徴とする請求項８に記載の作動装置。
【発明の詳細な説明】
【技術分野】
【０００１】
本発明は、内燃機関の排気領域内に配置されている粒子フィルタの作動方法およびその方法を実施するための作動装置に関するものである。
【背景技術】
【０００２】
ドイツ特許公開第１０３３３４４１号から、粒子燃焼速度に対する尺度として、λセンサから供給されるλ信号が使用される、内燃機関の排気領域内に配置されている粒子フィルタの作動方法が既知となっている。決定された尺度は、粒子フィルタの過熱を阻止することを目的として、粒子燃焼速度の制御のために使用される。λ信号またはλ信号変化に対する目標値が設定される。目標値と実際値との間に偏差が特定されたとき、例えば、絞り弁位置への係合、チャージ圧力への係合、排気ガス・ターボチャージャへの係合、または排気ガス再循環率の特定への係合が行われる。一形態により、排気管に配置された調節要素が設けられ、調節要素を介して、燃料または酸化剤の排気ガス流量への供給が行われる。
【０００３】
ドイツ特許第４４０４６８１号から、内燃機関吸気の窒素部分の十分な除去を行う内燃機関の排気ガス内の有害物質、特に窒素酸化物の低減方法が既知となっている。内燃機関により吸い込まれた周囲空気は空気分解装置に到達し、空気分解装置は、一方の出口に窒素によりリッチ化された空気を、他方の出口に酸素によりリッチ化された空気を供給する。酸素は空気分解装置により得られ、空気分解装置は、酸素分子に対してのみ透過性を有する膜を含んでいる。
【０００４】
内燃機関により吸い込まれる周囲空気の酸素リッチ化によって、排気温度が上昇される。内燃機関の排気管内に配置されている排気ガス処理装置、例えば触媒は、低温始動後の短時間内に必要な最低作動温度に到達する。同時に、内燃機関内における燃料転化が改善されるので、一酸化炭素および炭化水素未処理エミッションが低減される。
【０００５】
ドイツ特許公開第１９７１０８４２号から既知となっている内燃機関の排気ガス内の有害物質、特に窒素酸化物の低減方法は、同様に、酸素によりリッチ化された内燃機関吸気の供給を行う。重要な点は触媒の最低作動温度の急速達成にあり、触媒の最低作動温度は、運転点の関数として酸素を吸気に混合することにより達成される。空気分解装置は、内燃機関吸気管のバイパス管内に配置されている。
【０００６】
触媒の最低作動温度をできるだけ急速に達成する他の可能性がドイツ特許公開第４１４１９４６号に開示され、この方法は、内燃機関の運転状態の関数として、内燃機関の排気領域内に二次空気の供給を行う。二次空気の酸素部分は、排気ガス内に含まれている、例えば一酸化炭素、炭化水素または水素のような被酸化性成分を酸化する。対応の条件において、発熱酸化反応が既に排気曲管内において行われることがある。場合により、酸化反応が酸化触媒内において行われる。内燃機関内における燃焼過程後にさらに加熱された排気ガスは、排気領域内に配置されている排気ガス処理装置、例えば触媒または粒子フィルタを、上昇排気温度を介して間接的に加熱する。場合により、排気ガス処理装置が触媒コーティングを含み、これにより、加熱されるべき排気ガス処理装置内において酸化反応が直接発生するように設計されていてもよい。
【０００７】
ドイツ特許公開第１９７１０８４１号から既知となっている方法は、触媒により排気ガス有害物質の低減を行い、この低減は、内燃機関の排気領域内へのこのような二次空気供給に基づいている。二次空気は、空気分解装置から供給された酸素によりリッチ化され、空気分解装置は、酸素分子に対してのみ透過性を有するセラミック膜を含んでいる。
【発明の開示】
【発明が解決しようとする課題】
【０００８】
本発明の課題は、特に、許容できないほどに高い粒子燃焼速度ないし許容できないほどに高い粒子フィルタ温度による粒子フィルタ装置の損傷を阻止する、内燃機関の排気領域内に配置されている粒子フィルタの作動方法およびその方法を実施するための作動装置を提供することである。
【課題を解決するための手段】
【０００９】
本発明によれば、粒子燃焼速度の調節および／またはモニタリングのために、または粒子フィルタ温度の調節および／またはモニタリングのために、粒子燃焼速度に対する尺度が測定される、内燃機関の排気領域内に配置されている粒子フィルタの作動方法において、排気領域内の粒子フィルタ手前上流側に二次空気流量が吹き込まれ、二次空気流量が、粒子燃焼速度に対する測定尺度の関数として調節される。
【発明の効果】
【００１０】
本発明による方法は、粒子燃焼速度の調節および／またはモニタリングのために、または粒子フィルタ温度の調節および／またはモニタリングのために、粒子燃焼速度に対する尺度を測定することに関するものである。本発明により、排気領域内の粒子フィルタ手前上流側に二次空気流量が吹き込まれ、二次空気流量が粒子燃焼速度に対する測定尺度の関数として調節されるように設計されている。
【００１１】
本発明による方法は、内燃機関の制御への他の係合なしに、二次空気流量の調節により、粒子フィルタ内の粒子燃焼速度の適切な調節および／またはモニタリング、または粒子フィルタ温度の調節および／またはモニタリングを可能にする。上昇排気温度を供給するために場合により既に設けられている二次空気流量が、粒子燃焼速度の適切な調節のために共に使用されてもよい。
【００１２】
粒子フィルタ内に蓄積された粒子の粒子燃焼速度は、排気ガス内酸素濃度および粒子燃焼温度の関数であり、この場合、温度の影響のほうが優位である。粒子燃焼速度に対する尺度は粒子フィルタ温度に対する尺度をも表わし、この場合、粒子フィルタ内の排気ガス流量が考慮されるべきである。二次空気流量の適合により、粒子フィルタ手前上流側における排気ガス流量内の酸素含有量が調節可能である。さらに、二次空気流量は、粒子フィルタ内に流入する手前における排気ガス流量の温度を調節する。さらに、二次空気流量は粒子フィルタ内の排気ガス流量を調節する。
【００１３】
例えば排気温度、排気ガス流量または排気ガス酸素含有量のような所定の排気ガス特性変数における二次空気流量の個々の影響は、特性曲線としてまたは機能的関係として特性曲線群内に記憶されていてもよい。二次空気流量の調節を特定するとき、これらの影響が予め考慮されてもよい。
【００１４】
更に、本発明による方法の有利な変更態様および形態が得られる。
本発明による方法の一形態により、二次空気流量が、粒子燃焼速度に対する測定尺度の関数として、空気分解装置から供給された酸素流量または窒素流量によりリッチ化されるように設計されている。冒頭記載の背景技術において開示されている空気分解装置は、酸素によりまたは窒素によりリッチ化された空気流量の供給を可能にし、これにより、周囲空気によるよりも、粒子燃焼速度のより急速な調節が可能である。
【００１５】
本発明による方法の一形態は、粒子燃焼速度に対する尺度として、排気ガスの残留酸素含有量に対する尺度であるλセンサのλ信号が使用されるように設計されている。特に、広帯域λセンサは、理論燃焼における比に対する排気ガス内の酸素過剰が高いときにλ信号の供給を可能にする。
【００１６】
本発明による方法の他の形態は、粒子燃焼速度に対する尺度として、粒子フィルタ温度に対する少なくとも１つの尺度が使用されるように設計されている。粒子フィルタ温度はモデルにより少なくとも近似的に決定可能である。本発明による方法の一形態において、例えば粒子フィルタ後方下流側に配置された温度センサが設けられている。本発明による方法の一形態は、粒子フィルタ内において発生する粒子フィルタ排気ガス流量の関数として、粒子フィルタ温度に対する測定尺度の補正を行う。
【００１７】
特に有利な形態は、粒子フィルタ温度を制限するために最大可能二次空気流量が設定されるように設計されている。この手段によれば確かに粒子フィルタ内に追加の酸素が流入される。しかしながら、粒子フィルタ内の排気ガス流量が上昇されることにより、粒子フィルタの危険にさらされている部分の温度の低下が達成可能である。
【００１８】
内燃機関の本発明による作動装置は、第１に、本発明による方法を実施するために提供された少なくとも１つの制御装置に関するものである。該制御装置は、方法ステップをコンピュータ・プログラムとして記憶している少なくとも１つの電気的なメモリを含むことが好ましい。
【００１９】
本発明による一形態は、二次空気流量を供給するために電動二次空気ポンプが設けられているように設計されている。二次空気ポンプは、排気背圧に打ち勝つために必要な二次空気流量の圧力の供給を可能にする。
【００２０】
本発明による他の形態は、酸素流量または窒素流量を供給するために空気分解装置を提供する。空気分解装置を作動させるように、場合により必要な圧力差を供給するために、空気分解装置手前上流側に二次空気ポンプが配置されていることが有利である。
【００２１】
本発明による一形態は、粒子フィルタ温度に対する尺度を測定するために、粒子フィルタ後方下流側に温度センサを配置している。粒子フィルタ後方下流側の配置は、粒子フィルタへの係合なしに温度センサの簡単な装着を可能にする。
【００２２】
本発明による他の形態は、粒子フィルタ手前上流側に圧力センサが設けられているように設計されている。圧力センサの信号は、粒子フィルタにおいて発生する差圧を決定するための出発点として使用可能である。この差圧は、粒子フィルタの蓄積状態に対する尺度である。
【発明を実施するための最良の形態】
【００２３】
図１は内燃機関１０を示し、内燃機関１０吸気領域１１内に絞り弁１２が配置されている。吸気領域１１内に吸気流量ｍＡＬが発生する。内燃機関１０の排気領域１３内に、粒子フィルタ１４、λセンサ１５、第１の温度センサ１６、圧力センサ１７、および第２の温度センサ１８が配置されている。
【００２４】
排気領域１３内に排気ガス流量ｍＥＧが発生する。粒子フィルタ１４内に粒子フィルタ排気ガス流量ｍＰＦが発生する。
λセンサ１５は、制御装置２０にλ信号ｌａｍを出力する。制御装置２０に、第１の温度センサ１６は第１の温度信号ＴｖＰＦを供給し、第２の温度センサ１８は第２の温度信号ＴｎＰＦを供給し、圧力センサ１７は圧力信号ｐｖＰＦを供給する。
【００２５】
排気ガス流量ｍＥＧに二次空気流量ｍＳＬが混合可能であり、二次空気流量ｍＳＬは酸素流量ｍＯ２によりまたは窒素流量ｍＮ２によりリッチ化されている。二次空気流量ｍＳＬは二次空気ポンプ２１により供給され、二次空気ポンプ２１は空気分解装置２２に入口空気流量ｍＬＺを供給し、空気分解装置２２は酸素流量ｍＯ２および窒素流量ｍＮ２を供給する。
【００２６】
制御装置２０は絞り弁１２に絞り弁信号ｄｒを出力する。制御装置２０は、二次空気ポンプ２１を二次空気ポンプ制御信号ＳｔＳＬＰにより操作し、また空気分解装置２２を酸素流量制御信号ＳｔＯ２および窒素流量制御信号ＳｔＮ２により操作する。
【００２７】
図２は流れ図を示し、流れ図は、粒子フィルタ再生要求を有する第１の機能ブロック３０から開始される。第１の問い合わせステップ３１において、粒子フィルタ温度ＴＰＦが最低温度Ｔｍｉｎを超えているかどうかが検査される。これが否定（ｎｏ）のとき、第２の機能ブロック３２により粒子フィルタ１４の加熱が行われる。これが肯定（ｙｅｓ）の場合、第３の機能ブロック３３により、二次空気流量ｍＳＬおよび／または酸素流量ｍＯ２を用いて、所定のλ目標値ｌａｍ-Ｓｏｌｌまたは粒子フィルタ温度目標値ＴＰＦ-Ｓｏｌｌへの操作または制御が行われる。
【００２８】
第２の問い合わせステップ３４において、粒子フィルタ再生が終了したかどうかが決定される。これが肯定（ｙｅｓ）の場合、方法は終了される。これが否定（ｎｏ）の場合、第３の問い合わせステップ３５において、粒子フィルタ温度ＴＰＦが最高温度Ｔｍａｘを超えているかどうか、および／または温度変化ｄＴＰＦが温度変化最大値ｄＴｍａｘを超えているかどうかが特定される。これが否定（ｎｏ）の場合、フローは第３の機能ブロック３３に戻される。これが肯定（ｙｅｓ）の場合、第４の機能ブロック３６により、二次空気流量ｍＳＬが二次空気流量最大値ｍＳＬｍａｘに上昇され、および／または窒素流量ｍＮ２が供給される。
【００２９】
本発明による方法は次のように行われる。
排気領域１３内に配置されている粒子フィルタ１４は、内燃機関１０の運転の間に，場合により発生する粒子を蓄積する。所定の蓄積状態に到達した後に、粒子フィルタ１４の再生が行われなければならない。蓄積状態は、例えば粒子フィルタ１４において発生する差圧に基づいて決定可能である。場合により、蓄積状態の判定のために粒子フィルタ排気ガス流量ｍＰＦが共に使用されてもよい。粒子フィルタ１４において発生する差圧は、圧力センサ１７により測定された、粒子フィルタ１４手前上流側の排気圧力を表わす圧力信号ｐｖＰＦに基づき、粒子フィルタ１４後方に存在する排気系の圧力モデルと組み合わせて近似的に決定可能である。
【００３０】
第１の機能ブロック３０において粒子再生要求が発生した後に、第１の問い合わせステップ３１において、粒子フィルタ温度ＴＰＦが少なくとも最低温度Ｔｍｉｎに対応しているかどうかの検査が行われる。最低温度Ｔｍｉｎは、粒子フィルタ内に蓄積された粒子の、酸素との酸化反応が自立で行われるように、それが超えられなければならない温度限界を与える。最低温度Ｔｍｉｎは、例えば５５０℃の値である。
【００３１】
これが否定（ｎｏ）の場合、第２の機能ブロック３２により粒子フィルタ１４の加熱が行われる。この加熱は上昇排気温度により間接的に行われてもよい。上昇排気温度は二次空気流量ｍＳＬの供給により達成され、二次空気流量ｍＳＬの酸素部分は排気ガス流量ｍＥＧ内に含まれている被酸化性燃料部分を酸化し、被酸化性燃料部分は、例えば内燃機関１０内における燃焼過程後に行われる排気領域１３内への少なくとも１つの燃料噴射によって注入されてもよい。他の可能性は被酸化性成分の排気領域１３内への直接注入を行うことである。酸化反応は詳細には示されていない酸化触媒内において行われても、または粒子フィルタ１４内に対応の触媒コーティングが設けられている場合には、粒子フィルタ１４内において直接行われてもよい。第１の温度センサ１６は第１の温度信号ＴｖＰＦにより粒子フィルタ１４手前上流側の排気温度に対する尺度を供給するので、排気温度の不必要な上昇が回避可能である。
【００３２】
第１の問い合わせステップ３１において再生過程を開始するために必要な最低温度Ｔｍｉｎが達成されていることが特定された場合、機能ブロック３３により粒子フィルタ１４の再生が行われる。再生過程を保持するために、例えば、λセンサ１５から供給されるλ信号ｌａｍが少なくとも粒子燃焼速度に対する尺度として使用されてもよい。粒子燃焼速度に対する他の尺度は粒子フィルタ温度ＴＰＦであり、粒子フィルタ温度ＴＰＦは、一形態により、粒子フィルタ１４後方下流側に発生する排気温度を介して間接的に測定され、第２の温度センサ１８が第２の温度信号ＴｎＰＦにより排気温度を供給する。粒子フィルタ温度ＴＰＦはさらに粒子フィルタ排気ガス流量ｍＰＦの関数であり、その理由は、粒子フィルタ１４の平均温度は、粒子燃焼速度が同じとき、粒子フィルタ排気ガス流量ｍＰＦの増加と共に流動排気ガスの冷却作用により低下するからである。粒子フィルタ排気ガス流量ｍＰＦは排気ガス流量ｍＥＧから得られ、排気ガス流量ｍＥＧは、例えば、詳細には示されていない、吸気流量ｍＡＬを表わす供給空気信号から、場合により詳細には示されていない燃料噴射信号を使用して計算可能である。
【００３３】
粒子燃焼速度の調節ないし粒子フィルタ温度ＴＰＦの調節は、例えば、所定のλ目標値ｌａｍ-Ｓｏｌｌまたは所定の粒子フィルタ温度目標値ＴＰＦ-Ｓｏｌｌへの操作または好ましくは制御によって行うことが可能である。
【００３４】
この調節は、例えば、排気ガス流量ｍＥＧの酸素含有量が変化される内燃機関１０の適切な制御により行われる。１つの手段は、例えば、絞り弁信号ｄｒによる絞り弁１２の位置の変化および／または内燃機関に供給される燃料量が調節される、詳細には示されていない燃料噴射信号の変化である。
【００３５】
本発明により、粒子燃焼速度または粒子フィルタ温度ＴＰＦの調節は二次空気流量ｍＳＬおよび／または酸素流量ｍＯ２の特定によって行われ、この調節は、場合によりエンジン内部手段により補足されてもよい。二次空気流量ｍＳＬ内に含まれている酸素は、粒子燃焼速度の上昇を可能にする。二次空気流量ｍＳＬは電動二次空気ポンプ２１により供給されることが好ましく、制御装置２０は、電動二次空気ポンプ２１の出力を二次空気ポンプ制御信号ＳｔＳＬＰによって変化可能である。二次空気ポンプ２１は、空気分解装置２２を中間に接続することなく直接内燃機関１０の排気領域１３に結合してもよい。
【００３６】
特に有利な形態により、酸素流量ｍＯ２の排気ガス流量ｍＥＧへの混合が行われている。酸素流量ｍＯ２は、粒子フィルタ１４内における粒子燃焼速度の他の適切な制御を可能にする。
【００３７】
酸素流量ｍＯ２は空気分解装置２２から供給され、図示の実施例においては、空気分解装置２２は、二次空気ポンプ２１後方下流側に配置されている。空気分解装置２２のこの配置は、空気分解装置２２の作動のために、場合により必要とされる差圧が、二次空気ポンプ２１からの入口空気流量ｍＬＺにより提供可能であるという利点を有している。
【００３８】
詳細には示されていない一形態により、空気分解装置２２は、内燃機関１０の吸気領域１１内に配置されてもよく、この場合、差圧は、別のポンプによって供給されても、または吸気領域１１内に存在する、周囲空気よりも低い負圧に基づいて供給されてもよい。
【００３９】
制御装置２０は、酸素流量制御信号ＳｔＯ２により酸素流量ｍＯ２の供給を開始させる。空気分解装置２２が二次空気ポンプ２１後方下流側に配置されている場合、二次空気流量ｍＳＬの代わりに、酸素流量ｍＯ２が発生する。酸素流量ｍＯ２の酸素含有量は、空気分解装置２２の作動の関数として、周囲空気の２１％の値に対して、例えば２５％の値を有している。本質的な利点は、酸素流量ｍＯ２の、少ない排気ガス流量ｍＥＧとの混合により粒子燃焼速度の維持が可能であることにある。
【００４０】
第２の問い合わせステップ３４において、粒子フィルタ再生が終了したかどうかが特定される。これが肯定（ｙｅｓ）の場合、方法は他の係合なしに終了される。これが否定（ｎｏ）の場合、第３の問い合わせステップ３５において、粒子フィルタ温度ＴＰＦが最高温度Ｔｍａｘを超えているかどうか、または少なくとも超えようとしているかどうかが特定される。追加態様または代替態様として、粒子フィルタ１４の温度変化ｄＴＰＦが所定の温度変化最大値ｄＴｍａｘを超えているかどうか、または少なくとも超えようとしているかどうかが特定される。温度変化ｄＴＰＦの場合は、温度の時間勾配であっても、または少なくとも粒子フィルタ温度ＴＰＦの微分商であってもよい。さらに、代替態様として、λ信号ｌａｍが許容できないほどに高い値を有しているかどうかが特定されてもよい。この状況は、特に、ディーゼル内燃機関の低負荷範囲内、特にアイドル運転において発生することがあり、このとき排気ガス流量ｍＥＧ内の酸素濃度は、例えば１６％まで上昇することがある。粒子燃焼速度に対する尺度として粒子フィルタ温度ＴＰＦを使用する場合、粒子フィルタ１４に対して冷却作用を有する粒子フィルタ排気ガス流量ｍＰＦが補正変数として使用されることが好ましい。
【００４１】
危険な状態が存在しない場合、フローは第３の機能ブロック３３に戻され且つ再生が継続されてもよい。危険な状態が存在するかまたは少なくとも予想される場合、少なくとも１つの対抗手段が行われ、この対抗手段は、第４の機能ブロック３６内において係合される。
【００４２】
第１の対抗手段は、例えば窒素流量ｍＮ２を供給することであり、窒素流量ｍＮ２は排気ガス流量ｍＥＧに混合される。窒素流量ｍＮ２は、酸素流量ｍＯ２の代わりに、窒素流量制御信号ＳｔＮ２による空気分解装置２２の操作によって空気分解装置２２から供給される。不活性ガスは、濃度の関数として粒子フィルタ１４内の酸化反応を著しく遅延させる。
【００４３】
代替態様または追加態様として、二次空気流量ｍＳＬが高い値に、好ましくは二次空気流量最大値ｍＳＬｍａｘに上昇されるように設計されていてもよい。二次空気流量ｍＳＬの上昇により粒子フィルタ１４内への酸素流入が発生し、この酸素流入が酸化反応を支援し且つこれにより粒子燃焼速度を場合により上昇させるが、増大した粒子フィルタ排気ガス流量ｍＰＦに基づき、危険にさらされた粒子フィルタ１４の構成要素の温度は低下する。したがって、この手段により、粒子フィルタ温度ＴＰＦは低下される。第３の問い合わせステップ３５内において、粒子フィルタ１４に対して危険な状態がもはや存在しないことが特定されたとき、第３の機能ブロック３３への戻りが行われ、第３の機能ブロック３３により再生過程が継続される。
【図面の簡単な説明】
【００４４】
【図１】本発明による方法が実行される技術的周辺図である。
【図２】本発明による方法の流れ図である。
【符号の説明】
【００４５】
１０    内燃機関
１１    吸気領域
１２    絞り弁
１３    排気領域
１４    粒子フィルタ
１５    λセンサ
１６、１８    温度センサ
１７    圧力センサ
２０    制御装置
２１    二次空気ポンプ
２２    空気分解装置
ｄｒ    絞り弁信号
ｄＴｍａｘ    温度変化最大値
ｄＴＰＦ    温度変化
ｌａｍ    λ信号
ｌａｍ-Ｓｏｌｌ    λ目標値
ｍＡＬ    吸気流量
ｍＥＧ    排気ガス流量
ｍＬＺ    入口空気流量
ｍＮ２    窒素流量
ｍＯ２    酸素流量
ｍＳＬ    二次空気流量
ｍＳＬｍａｘ    最大可能二次空気流量（二次空気流量最大値）
ｍＰＦ    粒子フィルタ排気ガス流量
ｐｖＰＦ    圧力信号
ＳｔＮ２    窒素流量制御信号
ＳｔＯ２    酸素流量制御信号
ＳｔＳＬＰ    二次空気ポンプ制御信号
Ｔｍａｘ    最高温度
Ｔｍｉｎ    最低温度
ＴｎＰＦ、ＴｖＰＦ    温度信号
ＴＰＦ    粒子フィルタ温度
ＴＰＦ-Ｓｏｌｌ    粒子フィルタ温度目標値
【図１】
2006090324.tif 000003
【図２】
2006090324.tif 000004